(57)【特許請求の範囲】
【請求項１】
画像形成装置から排出された用紙である印刷紙に、中綴じ処理または中折り処理を施すことにより、冊子を作成する後処理装置において、
用紙を積載収容する用紙トレイと、
前記印刷紙、および、搬送方向における用紙サイズが前記印刷紙と異なる用紙であって冊子に挿入される挿入紙を前記用紙トレイに搬送する搬送路と、
前記中綴じ処理による冊子作成の場合、前記用紙トレイに積載された用紙束に対して中綴じおよび中折りを実行し、前記中折り処理による冊子作成の場合、前記用紙トレイに積載された用紙束に対して中折りを実行する処理部と、
前記挿入紙を挿入した状態で冊子を作成する場合、前記挿入紙を中折りせずに前記中折り処理による冊子を作成するか、前記挿入紙を中綴じせずに前記中綴じ処理の冊子を作成するか、前記挿入紙を中綴じして前記中綴じ処理の冊子を作成するかに応じて、前記用紙束に対する中折りまたは中綴じ実行位置のずらし量を演算する制御部と
を有することを特徴とする後処理装置。
【請求項２】
冊子作成を中折り処理により行うこと、前記印刷紙の用紙サイズおよび前記挿入紙の用紙サイズを情報として取得する取得部をさらに有し、
前記制御部は、前記取得部の取得結果に基づいて、印刷紙を基準とする用紙束の中央位置を中折り実行位置とするのか、もくしは、当該用紙束の中央位置からずらした位置を中折り実行位置とするのかを判断することを特徴とする請求項１に記載された後処理装置。
【請求項３】
前記取得部は、前記作成する冊子の総頁数、前記挿入紙を挿入する頁および前記挿入紙の種別をさらに情報として取得しており、
前記制御部は、前記中折り実行位置をずらすことを判断した場合、前記印刷紙の用紙サイズ、前記挿入紙の用紙サイズ、前記作成する冊子の総頁数、前記挿入紙を挿入する頁および前記挿入紙の種別に基づいて、前記用紙束の中央位置からの中折り実行位置のずらし量を演算することを特徴とする請求項２に記載された後処理装置。
【請求項４】
冊子作成を中綴じ処理で行うこと、前記印刷紙の用紙サイズ、前記挿入紙の用紙サイズおよび前記挿入紙を併せて中綴じするか否かを情報として取得する取得部をさらに有し、
前記制御部は、前記取得部の取得結果に基づいて、印刷紙を基準とする用紙束の中央位置を中綴じおよび中折り実行位置とするのか、もしくは当該用紙束の中央位置からずらした位置を中綴じおよび中折り実行位置とするのかを判断することを特徴とする請求項１に記載された後処理装置。
【請求項５】
前記取得部は、前記挿入紙の種別をさらに情報として取得しており、
前記制御部は、前記挿入紙を併せて中綴じしない場合において、中綴じおよび中折り実行位置をずらすことを判断した場合には、前記印刷紙の用紙サイズ、前記挿入紙の用紙サイズおよび前記挿入紙の種別に基づいて、前記用紙束の中央位置からの中綴じおよび中折り実行位置のずらし量を演算することを特徴とする請求項４に記載された後処理装置。
【請求項６】
前記取得部は、前記挿入紙の種別、および、前記挿入紙の先端部を基準として中綴じおよび中折り実行位置を指定するオーバーラップ量をさらに情報として取得しており、
前記制御部は、前記挿入紙を併せて中綴じする場合において、中綴じおよび中折り実行位置をずらすことを判断した場合には、前記印刷紙の用紙サイズ、前記挿入紙の用紙サイズ、前記挿入紙の種別および前記オーバーラップ量に基づいて、前記用紙束の中央位置からの中綴じおよび中折り実行位置のずらし量を演算することを特徴とする請求項４に記載された後処理装置。
【請求項７】
前記制御部は、前記演算されたずらし量に基づいて、前記画像形成装置による前記印刷紙に対する画像形成位置のずらし量を演算することを特徴とする請求項３，５および６のいずれかに記載された後処理装置。
【請求項８】
作成された冊子の前小口側端縁を断裁する断裁部をさらに有し、
前記制御部は、前記演算されたずらし量に基づいて、冊子に対する断裁実行位置のずらし量を演算することを特徴とする請求項３，５および６のいずれかに記載された後処理装置。
【請求項９】
前記用紙トレイよりも上方に位置し、前記搬送路を経て機内を搬送された前記印刷紙または前記挿入紙を、前記用紙トレイに排出する排紙部と、
前記排紙部から排出された用紙の後端が当接することで前記用紙トレイに積載される用紙束の後端位置を整合するとともに、前記用紙トレイに排出された用紙の先端方向または後端方向へ移動することで前記用紙トレイに積載される用紙束を移動させる後端規制部と、
前記後端規制部を駆動する駆動部とをさらに有し、
前記後端規制部は、前記用紙トレイに用紙を積載する際に、前記排紙部から前記用紙トレイに排出される用紙の後端位置が、前記用紙トレイに載置される前記挿入紙の先端位置と前記後端規制部との間に位置するような関係に配置されており、
前記制御部は、前記中綴じ処理または中折り処理を行う場合、前記駆動部を制御することにより、前記演算されたずらし量と、印刷紙を基準とする用紙束の中央位置とに基づいて、前記後端規制部の位置を設定することを特徴とする請求項３，５および６のいずれかに記載された後処理装置。
【請求項１０】
用紙に画像を形成し、画像形成された用紙を印刷紙として排出する画像形成装置と、
前記画像形成装置から排出される印刷紙に、中綴じ処理または中折り処理を施すことにより、冊子を作成する後処理装置とを有し、
前記後処理装置は、
用紙を積載収容する用紙トレイと、
前記印刷紙、および、搬送方向における用紙サイズが前記印刷紙と異なる用紙であって冊子に挿入される挿入紙を前記用紙トレイに搬送する搬送路と、
前記中綴じ処理による冊子作成の場合、前記用紙トレイに積載された用紙束に対して中綴じおよび中折りを実行し、前記中折り処理による冊子作成の場合、前記用紙トレイに積載された用紙束に対して中折りを行う処理部と、
前記挿入紙を挿入した状態で冊子を作成する場合、前記挿入紙を中折りせずに前記中折り処理による冊子を作成するか、前記挿入紙を中綴じせずに前記中綴じ処理の冊子を作成するか、前記挿入紙を中綴じして前記中綴じ処理の冊子を作成するかに応じて、前記用紙束に対する中折りまたは中綴じ実行位置のずらし量を演算する制御部と
を有することを特徴とする画像形成システム。
【請求項１１】
前記制御部は、前記演算されたずらし量に基づいて、前記画像形成装置による前記印刷紙に対する画像形成位置のずらし量を演算するとともに、当該画像形成位置のずらし量を前記画像形成装置に指示し、
前記画像形成装置は、前記後処理装置から画像形成位置のずらし量を指示された場合、当該画像形成位置のずらし量に応じて、前記印刷紙に形成される画像位置をずらすことを特徴とする請求項１０に記載された画像形成システム。
【請求項１２】
前記制御部は、前記演算されたずらし量を、前記画像形成装置に指示しており、
前記画像形成装置は、前記後処理装置からずらし量が指示された場合、前記印刷紙に対する画像形成位置のずらし量を演算するとともに、当該画像形成位置のずらし量に応じて、前記印刷紙に形成される画像位置をずらすことを特徴とする請求項１０に記載された画像形成システム。
【請求項１３】
画像形成装置から排出された用紙である印刷紙に、中綴じ処理または中折り処理を施すことにより、冊子を作成する後処理装置の制御方法において、
前記後処理装置は、
用紙を積載収容する用紙トレイと、
前記印刷紙、および、搬送方向における用紙サイズが前記印刷紙と異なる用紙であって冊子に挿入される挿入紙を前記用紙トレイに搬送する搬送路と、
前記中綴じ処理による冊子作成の場合、前記用紙トレイに積載された用紙束に対して中綴じおよび中折りを実行し、前記中折り処理による冊子作成の場合、前記用紙トレイに積載された用紙束に対して中折りを行う処理部とを有し、
前記挿入紙を挿入した状態で冊子を作成するか否かの情報を取得し、
前記挿入紙を挿入した状態で冊子を作成する場合、前記挿入紙を中折りせずに前記中折り処理による冊子を作成するか、前記挿入紙を中綴じせずに前記中綴じ処理の冊子を作成するか、前記挿入紙を中綴じして前記中綴じ処理の冊子を作成するかに応じて、前記用紙束に対する中折りまたは中綴じ実行位置のずらし量を演算する処理を実行させることを特徴とする後処理装置の制御方法。
【発明の詳細な説明】
【技術分野】
【０００１】
本発明は、後処理装置およびその制御方法、並びに後処理装置を備える画像形成システムに関する。
【背景技術】
【０００２】
従来、複写機を基本とし、プリンタ、ファクシミリ等の機能を備えた複合機が普及している。また、これらの複合機は、近年のユーザの多様な要望を実現するため、使用目的に合わせた種々の機能が備えられている。例えば、画像形成装置により画像形成された用紙である印刷紙に対して中綴じ処理または中折り処理を施すことにより、冊子を作成する後処理装置が知られている。この類の後処理装置では、一般に、機内の搬送路を経て排紙部から排出される用紙は、機内の用紙トレイ上に所定枚数積載され、積載された用紙束に処理を施すことにより、冊子が作成される。
【０００３】
ところで、このような冊子を作成する場合、アンケート用の用紙や、冊子内の印刷内容に関する訂正箇所を記載した用紙を挿入紙として冊子内に挿入したいという要望がある。従来、このような挿入紙を冊子内に挿入するには、冊子作成後に手作業で挿入しなければならず、作業効率向上の観点から、後処理装置による冊子作成に伴う一連の工程として、挿入紙を挿入した状態で冊子を仕上げることが望まれている。
【０００４】
なお、例えば、特許文献１には、同一サイズの用紙束に中綴じ処理を施すことにより冊子を作成する手法や、同一サイズの用紙束に対して、この用紙束の２倍以上のサイズの用紙を中折りしてくるむことにより表紙付きの冊子として仕上げる手法が開示されている。
【先行技術文献】
【特許文献】
【０００５】
【特許文献１】特開２００４−１０１９８号公報
【発明の概要】
【発明が解決しようとする課題】
【０００６】
ところで、挿入紙を挟んだ状態で冊子を仕上げる場合、その仕上がり形態には、ユーザの所望とする種々のバリエーションが考えられる。この場合、後処理装置による冊子作成の一連の工程では、用紙束に対して規定の位置に中折りまたは中綴じが実行される関係上、かかる一連の工程において挿入紙を挿入することを考えた場合には、ユーザが所望とする仕上がり形態を反映することができない可能性がある。
【０００７】
本発明はかかる事情に鑑みてなされたものであり、その目的は、画像形成装置から排出される用紙である印刷紙に、中綴じ処理または中折り処理を施すことにより冊子を作成する際に、挿入紙を挿入した状態で仕上げることを可能にするとともに、その仕上がり形態に種々のバリエーションを持たせることを可能にすることにある。
【課題を解決するための手段】
【０００８】
かかる課題を解決するために、第１の発明は、画像形成装置から排出された用紙である印刷紙に、中綴じ処理または中折り処理を施すことにより、冊子を作成する後処理装置を提供する。ここで、この後処理装置は、用紙を積載収容する用紙トレイと、印刷紙、および、搬送方向における用紙サイズが印刷紙と異なる用紙であって冊子に挿入される挿入紙を用紙トレイに搬送する搬送路と、中綴じ処理による冊子作成の場合、用紙トレイに積載された用紙束に対して中綴じおよび中折りを実行し、中折り処理による冊子作成の場合、用紙トレイに積載された用紙束に対して中折りを実行する処理部と、挿入紙を挿入した状態で冊子を作成する場合、挿入紙を中折りせずに中折り処理による冊子を作成するか、挿入紙を中綴じせずに中綴じ処理の冊子を作成するか、挿入紙を中綴じして中綴じ処理の冊子を作成するかに応じて、用紙束に対する中折りまたは中綴じ実行位置のずらし量を演算する制御部とを有する。
【０００９】
ここで、第１の発明は、冊子作成を中折り処理により行うこと、印刷紙の用紙サイズおよび挿入紙の用紙サイズを情報として取得する取得部をさらに有していてもよい。この場合、制御部は、取得部の取得結果に基づいて、印刷紙を基準とする用紙束の中央位置を中折り実行位置とするのか、もくしは、この用紙束の中央位置からずらした位置を中折り実行位置とするのかを判断することが好ましい。
【００１０】
この場合、取得部は、作成する冊子の総頁数、挿入紙を挿入する頁および挿入紙の種別をさらに情報として取得しており、制御部は、中折り実行位置をずらすことを判断した場合、印刷紙の用紙サイズ、挿入紙の用紙サイズ、作成する冊子の総頁数、挿入紙を挿入する頁および挿入紙の種別に基づいて、用紙束の中央位置からの中折り実行位置のずらし量を演算することが好ましい。
【００１１】
また、第１の発明は、冊子作成を中綴じ処理で行うこと、印刷紙の用紙サイズ、挿入紙の用紙サイズおよび挿入紙を併せて中綴じするか否かを情報として取得する取得部をさらに有していてもよい。この場合、制御部は、取得部の取得結果に基づいて、印刷紙を基準とする用紙束の中央位置を中綴じおよび中折り実行位置とするのか、もしくはこの用紙束の中央位置からずらした位置を中綴じおよび中折り実行位置とするのかを判断することが好ましい。
【００１２】
ここで、取得部は、挿入紙の種別をさらに取得しており、制御部は、挿入紙を併せて中綴じしない場合において、中綴じおよび中折り実行位置をずらすことを判断した場合には、印刷紙の用紙サイズ、挿入紙の用紙サイズおよび挿入紙の種別に基づいて、用紙束の中央位置からの中綴じおよび中折り実行位置のずらし量を設定することが好ましい。
【００１３】
一方、取得部は、挿入紙の種別、および、挿入紙の先端部を基準として中綴じおよび中折り実行位置を指定するオーバーラップ量をさらに情報として取得しており、制御部は、挿入紙を併せて中綴じする場合において、中綴じおよび中折り実行位置をずらすことを判断した場合には、印刷紙の用紙サイズ、挿入紙の用紙サイズ、挿入紙の種別およびオーバーラップ量に基づいて、用紙束の中央位置からの中綴じおよび中折り実行位置のずらし量を演算することが望ましい。
【００１４】
また、第１の発明において、制御部は、演算されたずらし量に基づいて、画像形成装置による印刷紙に対する画像形成位置のずらし量を演算することが好ましい。
【００１５】
また、第１の発明は、作成された冊子の前小口側端縁を断裁する断裁部をさらに有していてもよい。この場合、制御部は、演算されたずらし量に基づいて、冊子に対する断裁実行位置のずらし量を演算することが好ましい。
【００１６】
また、第１の発明は、用紙トレイよりも上方に位置し、搬送路を経て機内を搬送された印刷紙または挿入紙を、用紙トレイに排出する排紙部と、排紙部から排出された用紙の後端が当接することで用紙トレイに積載される用紙束の後端位置を整合するとともに、用紙トレイに排出された用紙の先端方向または後端方向へ移動することで用紙トレイに積載される用紙束を移動させる後端規制部と、後端規制部を駆動する駆動部とをさらに有していてもよい。この場合、後端規制部は、用紙トレイに用紙を積載する際に、排紙部から用紙トレイに排出される用紙の後端位置が、用紙トレイに載置される挿入紙の先端位置と後端規制部との間に位置するような関係に配置されていることが好ましい。また、制御部は、中綴じ処理または中折り処理を行う場合、駆動部を制御することにより、演算されたずらし量と、印刷紙を基準とする用紙束の中央位置とに基づいて、後端規制部の位置を設定することが望ましい。
【００１７】
さらに、第２の発明は、用紙に画像を形成し、画像形成された用紙を印刷紙として排出する画像形成装置と、画像形成装置から排出される印刷紙に、中綴じ処理または中折り処理を施すことにより、冊子を作成する後処理装置とを有する画像形成システムを提供する。ここで、後処理装置は、用紙を積載収容する用紙トレイと、印刷紙、および、搬送方向における用紙サイズが印刷紙と異なる用紙であって冊子に挿入される挿入紙を用紙トレイに搬送する搬送路と、中綴じ処理による冊子作成の場合、用紙トレイに積載された用紙束に対して中綴じおよび中折りを実行し、中折り処理による冊子作成の場合、用紙トレイに積載された用紙束に対して中折りを行う処理部と、挿入紙を挿入した状態で冊子を作成する場合、挿入紙を中折りせずに中折り処理による冊子を作成するか、挿入紙を中綴じせずに中綴じ処理の冊子を作成するか、挿入紙を中綴じして中綴じ処理の冊子を作成するかに応じて、用紙束に対する中折りまたは中綴じ実行位置のずらし量を演算する制御部とを有する。
【００１８】
ここで、第２の発明において、制御部は、演算されたずらし量に基づいて、画像形成装置による印刷紙に対する画像形成位置のずらし量を演算するとともに、この画像形成位置のずらし量を画像形成装置に指示してもよい。この場合、画像形成装置は、後処理装置から画像形成位置のずらし量を指示された場合、この画像形成位置のずらし量に応じて、印刷紙に形成される画像位置をずらすことが好ましい。
【００１９】
なお、制御部は、演算されたずらし量を、画像形成装置に指示してもよい。この場合、画像形成装置は、後処理装置からずらし量が指示された場合、印刷紙に対する画像形成位置のずらし量を演算するとともに、この画像形成位置のずらし量に応じて、印刷紙に形成される画像位置をずらすことが好ましい。
【００２０】
また、第３の発明は、画像形成装置から排出された用紙である印刷紙に、中綴じ処理または中折り処理を施すことにより、冊子を作成する後処理装置の制御方法を提供する。ここで、後処理装置は、用紙を積載収容する用紙トレイと、印刷紙、および、搬送方向における用紙サイズが印刷紙と異なる用紙であって冊子に挿入される挿入紙を用紙トレイに搬送する搬送路と、中綴じ処理による冊子作成の場合、用紙トレイに積載された用紙束に対して中綴じおよび中折りを実行し、中折り処理による冊子作成の場合、用紙トレイに積載された用紙束に対して中折りを行う処理部とを有する。この場合、この制御方法は、挿入紙を挿入した状態で冊子を作成するか否かの情報を取得し、挿入紙を挿入した状態で冊子を作成する場合、挿入紙を中折りせずに中折り処理による冊子を作成するか、挿入紙を中綴じせずに中綴じ処理の冊子を作成するか、挿入紙を中綴じして中綴じ処理の冊子を作成するかに応じて、用紙束に対する中折りまたは中綴じ実行位置のずらし量を演算する処理を実行させる。
【発明の効果】
【００２１】
本発明によれば、搬送路を経て挿入紙を用紙トレイに供給することにより、冊子作成の一連の工程として、挿入紙を挿入した状態で冊子を仕上げることができる。また、用紙束に対する中折り実行位置または中綴じ実行位置を、必要に応じてずらすことができるので、挿入紙を含む冊子の仕上がり形態に種々のバリエーションを持たせることが可能となる。これにより、ユーザに様々なニーズに応じた状態で挿入紙を挿入した状態で冊子を作成することが可能となる。
【図面の簡単な説明】
【００２２】
【図１】画像形成システムの全体構成を模式的に示す説明図
【図２】後処理装置３００の内部構成を模式的に示す説明図
【図３】後処理装置３００の機能的構成を示すブロック図
【図４】入力部２１０を模式的に示す説明図
【図５】冊子の仕上がり状態を示す説明図
【図６】後処理装置３００による冊子作成に関する一連の動作を示すフローチャート
【図７】ステップ３におけるパラメータ決定処理の詳細を示すフローチャート
【図８】ステップ１１の処理の詳細を示すフローチャート
【図９】中折りモードの具体例を示す説明図
【図１０】ステップ１３の処理の詳細を示すフローチャート
【図１１】第１中綴じモードの具体例を示す説明図
【図１２】ステップ１４の処理の詳細を示すフローチャート
【図１３】第２中綴じモードの具体例を示す説明図
【図１４】中折り動作および中綴じ動作の状態を模式的に示す説明図
【図１５】中折り実行位置、中綴じ実行位置および断裁実行位置のそれぞれを示す説明図
【発明を実施するための形態】
【００２３】
図１は、第１の実施形態に係る画像形成システムの全体構成を模式的に示す説明図である。第１の実施形態に係る画像形成システムは、画像読取装置１００と、画像形成装置２００と、後処理装置３００とを有する複写機である。
【００２４】
画像読取装置１００は、画像形成装置２００の上部に配置され、原稿に形成された画像を読み取って画像情報を取得する。この画像読取装置１００は、原稿を移動させながら画像を読み取る自動原稿送り部を備えている。
【００２５】
画像形成装置２００は、画像読取装置１００によって取得された画像情報に基づいて用紙Ｐ上に画像を形成する。画像形成装置２００は、感光ドラム１と、帯電部２と、像露光部３と、現像部４と、転写部５Ａと、分離部５Ｂと、クリーニング装置６と、定着部８とを有する。
【００２６】
感光ドラム１は、帯電部２によりその表面が一様に帯電させられる。像露光部３は、レーザビームを感光ドラム１の表面に照射して、画像読取装置１００により取得された画像情報に基づく露光走査を行う。これにより、一様に帯電した感光ドラム１の表面に潜像が形成される。現像部４は当該潜像を反転現像し、これにより、感光ドラム１の表面にトナー像が形成される。
【００２７】
用紙収納部７Ａに収納された用紙Ｐは、転写部５Ａへ給紙される。転写部５Ａは、感光ドラム１の表面上のトナー像を用紙Ｐ上へ転写し、その後、分離部５Ｂは、トナー像が転写された用紙Ｐを感光ドラム１から分離する。中間搬送部７Ｂは、分離された用紙Ｐを定着部８へ搬送する。定着部８は、用紙Ｐに対して加熱定着処理を施す。排紙部７Ｃは、加熱定着処理が施された用紙Ｐを後処理装置３００へ排出する。一方、クリーニング装置６は、転写部５Ａによりトナー像が用紙Ｐ上へ転写された後の感光ドラム１の表面に残留しているトナーを除去する。
【００２８】
用紙Ｐの両面に画像形成を行う場合、定着部８により加熱定着処理された用紙Ｐは、搬送路切換板７Ｄにより、その搬送方向が排紙部７Ｃ側とは異なる反転搬送部７Ｅ側へと切替えられる。反転搬送部７Ｅは、用紙Ｐをスイッチバックすることにより表裏反転させ、再び、当該用紙Ｐを転写部５Ａへ搬送する。転写部５Ａは、用紙Ｐの裏面に画像を形成し、当該画像形成された用紙Ｐは、定着部８を経て、排紙部７Ｃから後処理装置３００へ排出される。
【００２９】
図２は、後処理装置３００の内部構成を模式的に示す説明図である。後処理装置３００は、画像形成装置２００から排出される用紙Ｐに対して、動作モードに応じた種々の後処理を行う装置である。この後処理装置３００の動作モードとしては、画像形成装置２００から排出された用紙Ｐに何ら処理を行うことなく排出するノーマルモード、画像形成装置２００から排出される用紙Ｐを所定枚数積層した上で、用紙Ｐの端部近傍にステープルを行う端部綴じモード、および、画像形成装置２００から排出される用紙Ｐを所定枚数積層した上で、これに中折り処理または中綴じ処理を施すことにより、冊子を作成する冊子モードが挙げられる。ここで、中折り処理は、所定枚数積層された用紙束を中折りすることにより冊子を作成する処理であり、用紙束に対する中折り実行位置は、基本的に、用紙の中央位置に設定されている。一方、中綴じ処理は、所定枚数積層された用紙束を中折りおよび中綴じすることにより冊子を作成する処理であり、中折りおよび中綴じ実行位置は、基本的に、用紙の中央位置に設定されている。
【００３０】
本実施形態の特徴の一つは、後処理装置３００が冊子モードで動作する場合において、画像形成装置２００から排出されて冊子のベースとなる用紙Ｐとは異なる用紙サイズ（搬送方向における用紙のサイズ）、例えば、冊子の外形サイズ（すなわち、冊子のベースとなる用紙Ｐの半分の用紙サイズ）の用紙を、冊子内に挿入した状態で冊子を仕上げることである。以下、冊子内に挿入する用紙を「挿入紙Ｉ」という。また、冊子内に挿入する用紙（挿入紙Ｉ）との差異を明確にするため、便宜上、画像形成装置２００から排出されて冊子のベースとなる用紙Ｐを「印刷紙Ｐ」という。なお、挿入紙Ｉおよび印刷紙Ｐを総称する場合には、単に用紙という。
【００３１】
また、後処理装置３００は、挿入紙Ｉを挿入した状態で冊子を作成する場合、挿入紙Ｉを含む冊子の仕上がり形態に応じて、用紙束に対する中折り実行位置または中綴じ実行位置のずらし量を演算する。これにより、演算されたずらし量に応じて、中折りまたは中綴じ実行位置を、印刷紙をベースとした用紙束の中央位置からずらした位置に設定することができる。以下、後処理装置３００の具体的な構成とともに、その動作について説明する。
【００３２】
後処理装置３００は、導入部１０と、挿入紙供給ユニット２０と、第１の中間スタッカ３１と、端部綴じステープラ３５と、第２の中間スタッカ４１と、中綴じステープラ５０と、中折り部５５と、断裁ユニット７０と、コントローラ８１（図１および図２には図示せず）を主体に構成されている。
【００３３】
導入部１０は、画像形成装置２００から排出された印刷紙Ｐを後処理装置３００の内部に導入する。導入部１０は、画像形成装置２００の排紙部７Ｃと位置的に対応するように、その位置が設定されている。
【００３４】
ここで、導入部１０から導入された印刷紙Ｐに関する機内の搬送経路の概略について説明する。導入部１０下流の搬送路は、第１の搬送路Ｒ１と第２の搬送路Ｒ２とに分岐しており、導入部１０から導入された印刷紙Ｐは、切換ゲート（図示せず）の切り換えに応じて、第１の搬送路Ｒ１および第２の搬送路Ｒ２の一方に供給される。動作モードがノーマルモードまたは端部綴じモードの場合、切換ゲートは、第１の搬送路Ｒ１側に切り換えられ、動作モードが冊子モードの場合、切換ゲートは、第２の搬送路Ｒ２側に切り換えられる。第１の搬送路Ｒ１および第２の搬送路Ｒ２は、それぞれ多数の搬送ローラとガイド部材により構成されている。
【００３５】
第１の搬送路Ｒ１は、導入部１０から導入された印刷紙Ｐを上段排紙トレイ６０または第１の中間スタッカ３１に搬送するための経路である。具体的には、第１の搬送路Ｒ１は、搬送路下流側において２系統の搬送路Ｒ１１，Ｒ１２に分岐しており、切換ゲート（図示せず）の切り換えに応じて、いずれか一方の系統の搬送路Ｒ１１，Ｒ１２を選択することができる。この切換ゲートは、動作モードがノーマルモードであって厚紙などの特殊な印刷紙Ｐを排出する場合には、一方の系統の搬送路Ｒ１１側に切り換えられ、動作モードがノーマルモードであって通常の印刷紙Ｐを大量排紙する場合、または、動作モードが端部綴じモードの場合には、他方の系統の搬送路Ｒ１２に切り換えられる。
【００３６】
第１の搬送路Ｒ１において一方の系統の搬送路Ｒ１１を経て搬送される印刷紙Ｐは、機外上部に固定された上段排紙トレイ６０に排出される。この上段排紙トレイ６０は、用紙の積載容量が少ないことから、主として、少量排紙としての利用性が高い厚紙などの特殊な印刷紙Ｐを排出する際に利用される。
【００３７】
これに対して、第１の搬送路Ｒ１において他方の系統の搬送路Ｒ１２を経て搬送される印刷紙Ｐは、第１の中間スタッカ３１に排出される。動作モードがノーマルモードの場合、第１の中間スタッカ３１に排出された印刷紙Ｐは、印刷紙Ｐが排出される毎に排紙ローラ６１側へと押し出され、その後、排紙ローラ６１によって中段排紙トレイ６２に排出される。一方、動作モードが端部綴じモードの場合、第１の中間スタッカ３１に排出された印刷紙Ｐは、所定枚数積層された上で端部綴じが行われる。その後、端部綴じが行われた複数の印刷紙Ｐは、排紙ローラ６１側へと押し出され、排紙ローラ６１によって中段排紙トレイ６２に排出される。中段排紙トレイ６２は、機外中段部に配置されており、大量排紙を可能にするために積載方向に移動することができるように構成されている。
【００３８】
第２の搬送路Ｒ２は、導入部１０から導入された印刷紙Ｐ、または、後述する挿入紙供給ユニット２０からの挿入紙Ｉを第２の中間スタッカ４１に搬送するための経路である。第２の搬送路Ｒ２の最後段位置である、第２の搬送路Ｒ２の排紙部には排紙ローラ１２が配置されている。この排紙ローラ１２は、第２の中間スタッカ４１（具体的には、後述する用紙トレイ４２）の上方に配置されており、第２の搬送路Ｒ２を経て機内を搬送された印刷紙Ｐまたは挿入紙Ｉを用紙トレイ４２に排出する。
【００３９】
第２の中間スタッカ４１に排出された印刷紙Ｐおよび挿入紙Ｉは、冊子状の印刷紙Ｐの頁間に挿入紙Ｉが挿入された状態の冊子として作成され、当該冊子は、断裁ユニット７０を経由した上で、機外の下段排紙トレイ６４に排出される。下段排紙トレイ６４は、機外下部に固定されている。
【００４０】
挿入紙供給ユニット２０は、挿入紙Ｉを後処理装置３００内に供給する機能を担っており、挿入紙載置部２１と、用紙送り部２２とから構成されている。挿入紙載置部２１には、挿入紙Ｉが積層載置され、挿入紙載置部２１に載置された挿入紙Ｉは、用紙送り部２２によって最上面の一枚が取り込まれ、第３の搬送路Ｒ３に供給される。本実施形態では、二組の挿入紙載置部２１および用紙送り部２２が設けられており、個々の挿入紙載置部２１に載置された挿入紙Ｉをそれぞれ供給することができるようになっている。
【００４１】
第３の搬送路Ｒ３は、多数の搬送ローラとガイド部材により構成されている。第３の搬送路Ｒ３は、用紙送り部２２から供給された挿入紙Ｉを第２の搬送路Ｒ２へと搬送する。そして、第３の搬送路Ｒ３によって搬送された挿入紙Ｉは、導入部１０から導入された印刷紙Ｐと同様に、第２の搬送路Ｒ２を経由して、第２の中間スタッカ４１へと搬送される。
【００４２】
なお、後処理装置３００に対する挿入紙Ｉの供給手法としては、挿入紙供給ユニット２０を用いる以外にも、画像形成装置２００を用いることも可能である。具体的には、画像形成装置２００は、用紙収納部７Ａの印刷紙Ｐとは異なる給紙トレイに挿入紙Ｉを収納しておき、後処理装置３００へ印刷紙Ｐを順次排出する過程で、その中の一枚として挿入紙Ｉを介在させるといった如くである。この場合、画像形成装置２００により、挿入紙Ｉに所定の画像形成を行うことも可能である。そのため、挿入紙供給ユニット２０は後処理装置３００に対して選択的に取り付け可能な構成としてもよい。もっとも、ステッカーなどの糊付きの用紙のように、画像形成装置２００内の定着部８を通過させることに適さないような用紙を挿入紙Ｉとして利用する場合には、挿入紙供給ユニット２０を設けることにより、後処理装置３００としての利便性の向上を図ることができる。
【００４３】
第１の中間スタッカ３１は、用紙トレイ３２と、後端規制部３３と、整合部材３４とで構成されている。用紙トレイ３２は、第１の搬送路Ｒ１，Ｒ１２を経て機内を搬送された印刷紙Ｐを載置するトレイである。以下、用紙トレイ３２に用紙が載置される動作を説明するにあたり、排紙ローラ１２から用紙トレイ３２上へ用紙が排出された時において、用紙の搬送方向に対して先端側を用紙の先端、用紙搬送方向に対して後端側を用紙の後端という。また、用紙トレイ３２に用紙が載置された状態において、用紙先端側に対応する用紙トレイ３２の端部をトレイ先端といい、用紙後端側に対応する用紙トレイ３２の端部をトレイ後端という（後述する第２の中間スタッカ４１の用紙トレイ４２においても同様）。
【００４４】
後端規制部３３は、用紙トレイ３２のトレイ後端側に設けられており、用紙トレイ３２上に載置された印刷紙Ｐの後端が当接することで印刷紙Ｐの後端位置を整合する。また、後端規制部３３は、必要に応じて、用紙トレイ３２上をトレイ先端方向へと移動することで用紙トレイ３２に載置された印刷紙Ｐを排紙ローラ６１へと押し出すことができる。整合部材３４は、例えば、回転することにより印刷紙Ｐの後端を後端規制部４３に押し当てて印刷紙Ｐの後端位置を整合する。
【００４５】
端部綴じステープラ３５は、用紙トレイ３２上で整合された複数の印刷紙Ｐの端部近傍を、予め定めた位置および向きに従いステープルを施すことにより、端部綴じを行う。例えば、端部綴じステープラ３５は、印刷紙Ｐの後端近傍において端部綴じを行う。端部綴じステープラ３５によって端部が綴じられた複数の印刷紙Ｐは、排紙ローラ６１により機外へと排出され、中段排紙トレイ６２へ排出される。
【００４６】
第２の中間スタッカ４１は、用紙トレイ４２と、後端規制部４３と、巻き戻し部４４とを主体に構成されている。用紙トレイ４２は、第２の搬送路Ｒ２を経て排紙ローラ１２から排出される用紙を積載収容する。この用紙トレイ４２に積載される用紙としては、画像形成装置２００から排出される印刷紙Ｐと、挿入紙供給ユニット２０（または画像形成装置２００）から供給される挿入紙Ｉとが該当する。用紙トレイ４２は、トレイ先端側がトレイ後端側よりも上方に位置するように傾斜した格好で配置されている。
【００４７】
用紙トレイ４２において、トレイ後端側には、後端規制部４３が配置されている。後端規制部４３は、排紙ローラ１２から排出された用紙の後端が当接することで用紙トレイ４２に積載される用紙束の後端位置を整合する。また、後端規制部４３は、駆動手段（後述する後端駆動部８３（図３参照））によって駆動されることにより、用紙トレイ４２上をトレイ先端側へまたはトレイ後端側へ移動することができる。これにより、後端規制部４３は、自身の移動に伴い用紙トレイ４２に積載される用紙束を移動させることができる。この後端規制部４３は、用紙トレイ４２に用紙を積載する際に、排紙ローラ１２から用紙トレイ４２に排出される印刷紙Ｐの後端位置が、用紙トレイ４２に載置される挿入紙Ｉの先端位置と後端規制部４３との間に位置するような関係に配置されている。
【００４８】
また、本実施形態において、後端規制部４３は、用紙トレイ４２に積載された用紙束に対する処理の形態に応じて、必要に応じて移動する。第１のケースとしては、中綴じステープラ５０によって中綴じを行う際の位置であり、後端規制部４３は、用紙トレイ４２上の用紙束に対する中綴じ実行位置が中綴じステープラ５０と対応するように、その位置が設定される。この中綴じ実行位置は、原則として、印刷紙Ｐを基準とした用紙束の中央位置（基準位置）に設定されるものであるが、挿入紙Ｉを挿入した状態で冊子を仕上げる場合には、必要に応じて、基準位置からずらした位置に設定される。また、第２のケースとしては、中折り部５５によって中折りを行う際の位置であり、後端規制部４３は、用紙トレイ４２上の用紙束に対する中折り実行位置が中折り部５５による処理位置と対応するように、その位置が設定される。この中折り実行位置は、原則として、印刷紙Ｐを基準とした用紙束の中央位置（基準位置）に設定されるものであるが、挿入紙Ｉを挿入した状態で冊子を仕上げる場合には、必要に応じて、基準位置から適宜ずらした位置に設定される。
【００４９】
巻き戻し部４４は、固定端を中心に上下方向に回動可能に構成された可動アームで構成されており、用紙トレイ４２の上方に配置されている。この巻き戻し部（可動アーム）４４は、駆動手段（後述するアーム駆動部８６（図３参照））によって駆動されることにより、排紙ローラ１２から用紙が排出される度に、以下に示す動作を行う。具体的には、可動アームは、通常、用紙トレイ４２から離間した上方位置（ホームポジション）にスタンバイしており、用紙トレイ４２に用紙が排出されると、下方向（用紙トレイ４２方向）へと回動する。可動アームが下方へと回動し、その先端部が最上面の用紙に押し当たることで、排出された用紙が後端規制部４３側に付勢される。これにより、排出された用紙の後端に対する整合性が確保される。用紙に対する一連の付勢動作が終了すると、可動アームはホームポジションへと復帰する。
【００５０】
中綴じステープラ５０は、用紙トレイ４２のトレイ先端側に配置されている。この中綴じステープラ５０は、後端規制部４３の位置設定に伴い用紙束に対する中折り実行位置と中綴じステープラ５０の処理位置とが対応した状態において、当該用紙束に対してステープルを行い、これにより、中綴じを行う。中綴じステープラ５０は、ドライバ５１とクリンチャ５２とで構成されており、この両ユニットは用紙トレイ４２を介して対向配置されている。中綴じステープラ５０は、ドライバ５１が用紙束にステープル（針）を刺入し、クリンチャ５２がドライバ５１によって印刷紙Ｐに刺入した針先を折り曲げる。これにより、印刷紙Ｐに対するステープルが行われる。なお、用紙トレイ４２には、中綴じステープラ５０によってステープルを行うためにステープルが挿入可能なスリット（図示せず）が形成されている。
【００５１】
中折り部５５は、用紙トレイ４２の略中央部に配置されている。中折り部５５は、後端規制部４２の位置設定に伴い用紙束に対する中折り位置と中折り部５５の処理位置が対応した状態において、当該用紙束に対して中折りを行う。この中折り部５５は、用紙トレイ４２の下方側に配置される一対の折りローラ５６と、一対の折りローラ５６と対向するように用紙トレイ４２の上方側に配置される折り板５７とで構成される。一対の折りローラ５６の軸方向および折り板５７の配置方向は搬送方向に対して直交方向である。また、用紙トレイ４２には中折りを行うために折り板５７を挿入するスリット（図示せず）が形成されている。
【００５２】
一対の折りローラ５６は、駆動手段（後述する折りローラ駆動部８５（図３参照））によって駆動されることにより、互いの回転方向が向き合うように回転することができる。また、折り板５７は、駆動手段（後述する折り板駆動部８４（図３参照））によって駆動されることにより、用紙トレイ４２に対して垂直方向に昇降動作することができる。この中折り部５５により中折りを行う場合には、折り板５７を下降させることで、用紙中央部を一対の折りローラ５６の間に押し込み、かつ、当該ローラ５６を矢印方向に回転させることで用紙束を中折りする。中折りされた用紙束は排紙ローラ６３によって搬送され、断裁ユニット７０に供給される。
【００５３】
断裁ユニット７０は、例えば、冊子を搬送する搬送手段（図示せず）と、断裁手段（図示せず）とを備え、作成された冊子における前小口側端縁の所定位置を断裁刃により断裁する。搬送手段は、冊子を搬送する搬送ベルトや、当該搬送ベルトが巻回される駆動ローラおよび従動ローラで構成されており、中折り部５５から供給される冊子を断裁手段へと搬送するとともに、断裁手段により前小口側が断裁された冊子を下段排紙トレイ６４へと搬送する。断裁手段は、必要に応じて、搬送手段によって搬送された冊子を対象に、所定の断裁実行位置（例えば、前小口側端縁から所定距離の位置（断裁基準位置））を断裁する。断裁手段は、例えば、可動刃、固定刃、可動刃を昇降可能に駆動するモータなどで構成されており、下降する可動刃の刃先と、固定刃の刃先とにより、冊子の前小口側の端縁部分が断裁される。
【００５４】
図３は、後処理装置３００の機能的構成を示すブロック図であり、特に、冊子作成に関わる要部を示すブロック図である。コントローラ８１は、後処理装置３００を統合的に制御する機能を担っている。コントローラ８１としては、ＣＰＵ、ＲＯＭ、ＲＡＭを主体に構成されたマイクロコンピュータを用いることができる。このコントローラ８１は、ＲＯＭに格納された制御プログラムに従い、各種の演算を行い、この演算結果に基づいて後処理装置３００の動作状態を制御する。コントローラ８１は、これを機能的に捉えた場合、取得部８１ａと、制御部８１ｂとを有している。
【００５５】
取得部８１ａは、インターフェース部８２を介して、画像形成装置２００との間で信号の送受信を行うことができる。これにより、取得部８１ａは、画像形成装置２００が保有する各種の情報（後述する入力部２１０を通じてユーザから指示される情報）を取得することができる。
【００５６】
上述した画像形成装置２００には、例えば、ディスプレイ上に表示された情報に従い、入力操作を行うことが可能なタッチパネル式の入力部２１０が備えられている。ユーザはこの入力部２１０を介して画像形成システム（画像形成装置２００および後処理装置３００）に対する動作指令を入力することができる。
【００５７】
本実施形態との関係において、ユーザは入力部２１０を通じて、後処理装置３００の動作モードを指示したり、動作モードとして冊子モードを指示した場合には、冊子のベースとなる印刷紙Ｐの用紙サイズを指示したりすることができる。また、図４に示すように、動作モードとして冊子モードを指示した場合には、ユーザは入力部２１０を通じて、冊子内に挿入紙Ｉを挿入するか否かを指示することができる（例えば、操作領域Ａ１）。また、ユーザは入力部２１０を通じて、挿入紙Ｉを含む冊子の仕上げ形態として、冊子作成を中綴じ処理で行うのか、もしくは中折り処理で行うのか指示したり（例えば、操作領域Ｂ１，Ｂ２）、中綴じ処理で行う場合には、挿入紙Ｉを併せて中綴じするのか否かを指示したりすることができる（例えば、操作領域Ｃ１，Ｃ２）。
【００５８】
さらに、ユーザは入力部２１０を通じて、作成する冊子の総頁数、挿入紙Ｉを挿入する頁、挿入紙Ｉの用紙サイズ、挿入紙Ｉの種別、オーバーラップ量といった情報を指示することができる（操作領域Ｄ１〜Ｄ４）。例えば、冊子の総頁数および挿入紙Ｉを挿入する頁は、任意の数値の中から選択することができるようになっており、また、用紙サイズは、Ａ３，Ｂ５といった規定の用紙サイズの中から選択したり、規定サイズ以外の用紙を用いる場合には、任意の数値の中から選択したりすることができるようになっている。また、用紙の種別は、８０ｇ紙、３００ｇ紙といった規定の種別の中から選択可能となっている。オーバーラップ量は、中綴じ処理により冊子を作成する場合であって、挿入紙Ｉを併せて中綴じする際に、挿入紙Ｉの先端部を基準として中綴じ実行位置を指定する量であり、任意の数値として選択することができる。
【００５９】
制御部８１ｂは、取得部８１ａが取得した情報に基づいて、用紙トレイ４２に対する挿入紙Ｉまたは印刷紙Ｐの排出タイミングを制御したり、各駆動部８３〜８６および中綴じステープラ５０および断裁ユニット７０の動作をそれぞれ制御したりする。ここで、後端駆動部８３は、後端規制部４３をトレイ先端方向またはトレイ後端方向に駆動する。折り板駆動部８４は、折り板５７を昇降駆動し、折りローラ駆動部８５は、一対の折りローラ５６を回転駆動する。また、アーム駆動部８６は、巻き戻し部（可動アーム）４４を駆動する。
【００６０】
また、制御部８１ｂは、冊子作成時には、ユーザが指示した条件（取得部８１ａが取得した情報）から規定される挿入紙Ｉを含む冊子の仕上げ形態に応じて、用紙束に対する中綴じ実行位置のずらし量、または用紙束に対する中折り実行位置のずらし量を演算することができる。また、制御部８１ｂは、中綴じ実行位置または中折り実行位置のずらし量に応じて、断裁ユニット７０による断裁実行位置のずらし量を演算したり、画像形成装置による印刷紙Ｐに対する画像形成位置のずらし量を演算したりすることができる。
【００６１】
以下、挿入紙Ｉの挿入を伴う冊子の作成に関する後処理装置３００の具体的な動作について説明する。なお、以下に示す例では、二枚の印刷紙Ｐによる冊子作成を例に挙げ、図５に示すように、冊子中央の見開き頁ではなく、一枚目の印刷紙Ｐと二枚目の印刷紙Ｐとで構成される頁に挿入紙Ｉを挿入するケースについて説明する。ここで、図６は、本実施形態にかかる後処理装置３００による冊子作成に関する一連の動作を示すフローチャートである。このフローチャートに示す処理は、後処理装置３００のコントローラ８１によって実行される。
【００６２】
まず、ステップ１（Ｓ１）において、取得部８１ａは、画像形成装置２００から必要な情報を取得する。具体的には、取得部８１ａは、後処理装置３００の動作モードが冊子モードであること、挿入紙Ｉを挿入した状態で冊子を仕上げること、冊子作成を中綴じ処理で行うのかそれとも中折り処理で行うのか、挿入紙Ｉを併せて中綴じするか否か、冊子の総頁数、印刷紙Ｐの用紙サイズ、挿入紙Ｉの用紙サイズ、挿入紙Ｉを挿入する頁、挿入紙Ｉの用紙サイズおよび挿入紙Ｉの種別を含む情報を取得する。
【００６３】
ステップ２（Ｓ２）において、制御部８１ｂは、取得部８１ａが取得した情報に基づいて、挿入紙Ｉがあるか否か、すなわち、挿入紙Ｉを挿入した状態で冊子を作成するか否かを判断する。このステップ２において肯定判定された場合、すなわち、挿入紙Ｉがある場合には、ステップ３（Ｓ３）に進む。一方、ステップ２において否定判定された場合、すなわち、挿入紙Ｉがない場合には、ステップ３およびステップ４（Ｓ４）の処理をスキップした上で、後述するステップ５（Ｓ５）の処理に進む。
【００６４】
ステップ３において、制御部８１ｂは、挿入紙Ｉの挿入を伴う冊子作成に関連するパラメータを決定する（パラメータ決定処理）。ここで、図７は、ステップ３におけるパラメータ決定処理の詳細を示すフローチャートである。
【００６５】
まず、ステップ１０（Ｓ１０）において、制御部８１ｂは、取得部８１ａが取得した情報に基づいて、中綴じ処理で冊子を作成するのか否かを判断する。このステップ１０において否定判定された場合、すなわち、中折り処理で冊子を作成する場合には、後述するステップ１１（Ｓ１１）に進み、中折り処理に対応するパラメータを決定する（中折りモード）。一方、ステップ１０において肯定判定された場合、すなわち、中綴じ処理で冊子を作成する場合には、ステップ１２（Ｓ１２）に進む。
【００６６】
ステップ１２において、制御部８１ｂは、取得部８１ａが取得した情報に基づいて、中綴じ処理において、挿入紙Ｉを併せて中綴じするか否かを判断する。このステップ１２において否定判定された場合、すなわち、挿入紙Ｉを中綴じしない場合には、ステップ１３（Ｓ１３）に進み、中綴じ処理（挿入紙Ｉの中綴じなし）に対応するパラメータを決定する（第１中綴じモード）。一方、ステップ１２において肯定判定された場合、すなわち、挿入紙Ｉを併せて中綴じする場合には、ステップ１４（Ｓ１４）に進み、中綴じ処理（挿入紙Ｉの中綴じあり）に対応するパラメータを決定する（第２中綴じモード）。
【００６７】
ステップ１１において、制御部８１ｂは、中折りモードに対応するパラメータを決定する。このステップ１１の処理の実行により、中折りずらし量、画像ずらし量および断裁ずらし量がそれぞれ決定される。ここで、中折りずらし量は、基準位置、具体的には、印刷紙Ｐを基準とする用紙束の中央位置からの中折り実行位置のずらし量である。また、画像ずらし量は、画像形成装置２００による印刷紙Ｐに対する画像形成位置のずらし量であり、断裁ずらし量は、断裁実行位置のずらし量である。ここで、図８は、ステップ１１の処理の詳細を示すフローチャートであり、図９は、中折りモードの具体例を示す説明図である。
【００６８】
まず、ステップ２０（Ｓ２０）において、制御部８１ｂは、挿入紙Ｉの用紙サイズが規定サイズよりも小さいか否かを判断する。ここで、規定サイズとは、中折り実行位置を変更する必要があるか否かを判断するためのサイズであり、具体的には、冊子のベースとなる印刷紙Ｐを基準に決定されている（例えば、印刷紙Ｐの半分のサイズ）。
【００６９】
このステップ２０において肯定判定された場合、すなわち、挿入紙Ｉの用紙サイズが規定サイズよりも小さい場合には、本ルーチンを抜ける。この場合、中折りずらし量はゼロとなり、図９（ａ）に示すように、中折り実行位置は、挿入紙Iがないケースと同様に、基準位置（印刷紙Ｐを基準とする用紙束の中央位置）のままで変更無しと判断される。また、画像ずらし量および断裁ずらし量もゼロとなり、画像形成位置および断裁実行位置も変更なしと判断される。一方、ステップ２０において否定判定された場合、すなわち、挿入紙Ｉの用紙サイズが規定サイズ以上の場合には、ステップ２１（Ｓ２１）以降の処理に進む。この場合、図９（ａ）に示すように、中折り実行位置は、基準位置から位置変更が必要と判断され、また、中折り実行位置の変更にともにない、画像形成位置および断裁実行位置も位置変更が必要と判断される。
【００７０】
ステップ２１において、制御部８１ｂは、中折り実行位置が挿入紙Ｉの先端位置よりも前側に設定されるように、中折りずらし量を算出する。この中折りずらし量は、印刷紙Ｐの用紙サイズ、挿入頁、冊子頁、挿入紙Ｉの用紙サイズおよび挿入紙Ｉの種類に基づいて決定される。図９（ｂ）に示すように、中折りずらし量は、挿入頁に応じたマージン（例えば、頁毎に０．１mmを確保）と、挿入紙Ｐの用紙サイズに応じたマージン（例えば、挿入紙Ｉが印刷紙Ｐの半分の用紙サイズである場合には、２．５mm）と、挿入紙Ｉの種類（すなわち、挿入紙Ｉの厚み）に応じたマージン（例えば、挿入紙Ｉが３００ｇ紙であれば１．０mm、挿入紙Ｉが８０ｇ紙であれば０．５mm）の総和として演算される。ケース１に示す例では、中折りずらし量は、４．５mmとして算出され、ケース２に示す例では、中折りずらし量は、３．２mmとして算出される。中折りずらし量が正の値として算出された場合、中折り実行位置は、基準位置よりも印刷紙先端側へとずれた位置に設定されることとなる。
【００７１】
ステップ２２（Ｓ２２）において、制御部８１ｂは、演算された中折りずらし量に基づいて、画像ずらし量および断裁ずらし量を決定する。具体的には、図９（ｃ）に示すように、画像ずらし量は、中折りずらし量と同一の値として決定され、断裁ずらし量は、中折りずらし量を２倍した値として決定される。
【００７２】
一方、ステップ１３において、制御部８１ｂは、第１中綴じモードに対応するパラメータを決定する。このステップ１３の処理の実行により、中綴じずらし量、中折りずらし量、画像ずらし量および断裁ずらし量がそれぞれ決定される。ここで、中綴じずらし量は、基準位置、具体的には、印刷紙Ｐを基準とする用紙束の中央位置からの中綴じ実行位置のずらし量である。ここで、図１０は、ステップ１３の処理の詳細を示すフローチャートであり、図１１は、第１中綴じモードの具体例を示す説明図である。
【００７３】
まず、ステップ３０（Ｓ３０）において、制御部８１ｂは、挿入紙Ｉの用紙サイズが規定サイズよりも小さいか否かを判断する。ここで、規定サイズとは、中綴じ実行位置を変更する必要があるか否かを判断するためのサイズであり、具体的には、冊子のベースとなる印刷紙Ｐを基準に決定されている（例えば、印刷紙Ｐの半分のサイズ）。
【００７４】
このステップ３０において肯定判定された場合、すなわち、挿入紙Ｉの用紙サイズが規定サイズよりも小さい場合には、本ルーチンを抜ける。この場合、中綴じずらし量はゼロとなり、図１１（ａ）に示すように、中綴じ実行位置は、挿入紙Ｉが無いケースと同様に、基準位置のままで変更無しと判断される。また、中折りずらし量、画像ずらし量および断裁ずらし量もゼロとなり、中折り実行位置、画像形成位置および断裁実行位置も変更なしと判断される。一方、ステップ３０において否定判定された場合、すなわち、挿入紙Ｉの用紙サイズが規定サイズ以上の場合には、ステップ３１（Ｓ３１）以降の処理に進む。この場合、図１１（ａ）に示すように、中綴じ実行位置は、基準位置から位置変更が必要と判断され、また、中綴じ実行位置の変更にともにない、中折り実行位置、画像形成位置および断裁実行位置も位置変更が必要と判断される。
【００７５】
ステップ３１において、制御部８１ｂは、中綴じ実行位置が挿入紙Ｉの先端位置よりも前側に設定されるように、中綴じずらし量を算出する。この中綴じずらし量は、印刷紙Ｐの用紙サイズ、挿入紙Ｉの用紙サイズおよび挿入紙Ｉの種類に基づいて決定される。図１１（ｂ）に示すように、中綴じずらし量は、挿入紙Ｐの用紙サイズに応じたマージン（例えば、挿入紙Ｉが印刷紙Ｐの半分の用紙サイズである場合には、２．５mm）と、挿入紙Ｉの種類（すなわち、挿入紙Ｉの厚み）に応じたマージン（例えば、挿入紙Ｉが３００ｇ紙であれば１．０mm、挿入紙Ｉが８０ｇ紙であれば０．５mm）の総和として演算される。ケース１に示す例では、中綴じずらし量は、３．０mmとして算出される。中綴じずらし量が正の値として算出された場合、中綴じ実行位置は、基準位置よりも印刷紙先端側へとずれた位置に設定される。
【００７６】
ステップ３２（Ｓ３２）において、制御部８１ｂは、演算された中綴じずらし量に基づいて、中折りずらし量、画像ずらし量および断裁ずらし量を決定する。具体的には、中折りずらし量および画像ずらし量は、中折りずらし量と同一の値として決定され、断裁ずらし量は、中折りずらし量を２倍した値として決定される。
【００７７】
これに対して、ステップ１４において、制御部８１ｂは、第２中綴じモードに対応するパラメータを決定する。このステップ１４の処理の実行により、中折りずらし量、中綴じずらし量、画像ずらし量および断裁ずらし量がそれぞれ決定される。ここで、図１２は、ステップ１４の処理の詳細を示すフローチャートであり、図１３は、第２中綴じモードの具体例を示す説明図である。
【００７８】
まず、ステップ４０（Ｓ４０）において、制御部８１ｂは、挿入紙Ｉの用紙サイズが規定サイズよりも大きいか否かを判断する。ここで、規定サイズとは、ステップ３０と同様に、中綴じ実行位置を変更する必要があるか否かを判断するための用紙サイズである（例えば、印刷紙Ｐの半分のサイズ）。
【００７９】
このステップ４０において肯定判定された場合、すなわち、挿入紙Ｉの用紙サイズが規定サイズよりも大きい場合には、本ルーチンを抜ける。この場合、中綴じずらし量はゼロとなり、図１３（ａ）に示すように、中綴じ実行位置は、挿入紙Ｉが無いケースと同様に、基準位置のままで変更無しと判断される。また、中折りずらし量、画像ずらし量および断裁ずらし量もゼロとなり、中折り実行位置、画像形成位置および断裁実行位置も変更なしと判断される。一方、ステップ４０において否定判定された場合、すなわち、挿入紙Ｉの用紙サイズが規定サイズ以上の場合には、ステップ４１（Ｓ４１）以降の処理に進む。この場合、図１３（ａ）に示すように、中綴じ実行位置は、基準位置から位置変更が必要と判断され、また、中綴じ実行位置の変更にともにない、中折り実行位置、画像形成位置および断裁実行位置も位置変更が必要と判断される。
【００８０】
ステップ４１において、制御部８１ｂは、中綴じ実行位置を、挿入紙Ｉの先端位置よりも後側に設定するように、中綴じずらし量を算出する。この中綴じずらし量は、印刷紙Ｐの用紙サイズ、挿入紙Ｉの用紙サイズ、挿入紙Ｉの種類およびオーバーラップ量に基づいて決定される。図１３（ｂ）に示すように、中綴じずらし量は、挿入紙Ｐの用紙サイズに応じたマージン（例えば、挿入紙Ｉが印刷紙Ｐの半分の用紙サイズである場合には、−２．５mm）と、挿入紙Ｉの種類（すなわち、挿入紙Ｉの厚み）に応じたマージン（例えば、挿入紙Ｉが３００ｇ紙であれば−１．０mm、挿入紙Ｉが８０ｇ紙であれば−０．５mm）と、オーバーラップ量（例えば、ユーザによる指定量）との総和として演算される。ケース１に示す例では、中綴じずらし量は、−６．５mmとして算出され、ケース２に示す例では、中綴じずらし量は、−９．０mmとして算出される。中綴じずらし量が負の値として算出された場合、中折り実行位置は、基準位置よりも印刷紙後端側へとずれた位置に設定される。
【００８１】
ステップ４２（Ｓ４２）において、制御部８１ｂは、演算された中綴じずらし量に基づいて、中折りずらし量、画像ずらし量および断裁ずらし量を決定する。具体的には、中折りずらし量および画像ずらし量は、中折りずらし量と同一の値として決定され、断裁ずらし量は、中折りずらし量を２倍した値（絶対値）として決定される。
【００８２】
再び図６を参照するに、ステップ４において、制御部８１ｂは、パラメータ決定処理（ステップ３）において決定されたパラメータを設定する。具体的には、制御部８１ｂは、演算された画像ずらし量を画像形成装置２００に指示することにより、冊子作成に供される印刷紙Ｐに対する画像形成位置を、通常時の画像形成位置よりも画像ずらし量だけずらすように画像形成装置２００に要求する。また、制御部８１ｂは、演算結果に基づいて、中折りずらし量、中綴じずらし量、断裁ずらし量を制御パラメータとして設定する。
【００８３】
ステップ５において、制御部８１ｂは、画像形成装置２００により画像ずらし量に応じて画像形成位置がずらされた印刷紙Ｐおよび挿入紙Ｉを用紙トレイ４２に積載した上で、冊子形成を行う（後処理）。
【００８４】
中折り処理による冊子作成を行う場合、まず、制御部８１ｂは、後端駆動部８３を制御して後端規制部４３を移動させ、これにより、後端規制部４３の位置を設定する。この場合、実験やシミュレーションを通じ、印刷紙Ｐの中央位置と、中折り部５５の処理位置（折り板５７の下降位置）とが対応する後端規制部４３の位置関係を、種々の用紙サイズの印刷紙Ｐに応じて予め取得しておく。そして、制御部８１ｂは、当該位置関係と、実際に中綴じを行う印刷紙Ｐの用紙サイズと、中折りずらし量とに基づいて、後端規制部４３の位置を設定する。図１４（ａ）に示すように、後端規制部４３は、通常、印刷紙Ｐをベースとした用紙束の中央位置が中折り部５５の処理位置となる位置Ｐｆに設定されるが、中折りずらし量ΔＰ１がゼロ以外の場合には、位置Ｐｓから中折りずらし量ΔＰ１だけずれた位置に設定される。
【００８５】
そして、制御部８１ｂは、折りローラ駆動部８５を制御することにより、一対の折りローラ５６を互いに向き合う方向に回転させるとともに、折り板駆動部８４を制御することにより、折り板５７を下降させる。これにより、折り板５７により用紙束を一対の折りローラ５６の間に押し込み、かつ、当該ローラ５６の回転により用紙束が中折りされる。ここで、折り板５７は用紙トレイ４２の上方に配置されている関係上、この折り板５７を下降することにより、中折りされた用紙束（冊子）は、折り側の端部を下側にして一対の折りローラ５６から排出される。一対の折りローラ５６から排出された冊子は、排紙ローラ６３によって搬送され、断裁ユニット７０に供給される。
【００８６】
一方、中綴じ処理による冊子作成を行う場合、まず、制御部８１ｂは、中綴じ処理の一過程である中綴じを行う。具体的には、制御部８１ｂは、後端駆動部８３を制御して後端規制部４３を移動させ、これにより、後端規制部４３の位置を設定する。この場合、実験やシミュレーションを通じ、印刷紙Ｐの中央位置と、中綴じステープラ５０の処理位置（ステープルの刺入位置）とが対応する後端規制部４３の位置関係を、種々の用紙サイズの印刷紙Ｐに応じて予め取得しておく。そして、コントローラ８１は、当該位置関係と、実際に中綴じを行う印刷紙Ｐの用紙サイズと、中綴じずらし量とに基づいて、後端規制部４３の位置を設定する。図１４（ｂ）に示すように、後端規制部４３は、通常、印刷紙Ｐをベースとした用紙束の中央位置が、中綴じステープラ５０の処理位置と対応する位置Ｐｓに設定されるが、中綴じずらし量ΔＰ２がゼロ以外の場合には、この位置Ｐｓから中綴じずらし量ΔＰ２だけずれた位置に設定される。そして、制御部８１ｂは、中綴じステープラ５０を制御して用紙束にステープルを行う。
【００８７】
つぎに、制御部８１ｂは、中綴じ処理の一過程である中折りを行う。制御部８１ｂは、後端駆動部８３を制御して後端規制部４３を移動させ、これにより、後端規制部４３の位置を設定する。図１４（ａ）に示すように、後端規制部４３は、通常、印刷紙Ｐをベースとした用紙束の中央位置が中折り実行位置となる位置Ｐｆに設定されるが、中折りずらし量ΔＰ２がゼロ以外の場合には、位置Ｐｓから中折りずらし量ΔＰ２だけずれた位置に設定される。
【００８８】
中折り処理または中綴じ処理により挿入紙Ｉが挿入された状態で冊子が仕上げられると、この冊子は断裁ユニット７０に供給される。断裁ユニット７０に冊子が供給されると、制御部８１ｂは、冊子の前小口側を断裁する。具体的には、制御部８１ｂは、断裁ユニット７０を制御して、前小口側の断裁基準位置（例えば、前小口側の最端縁）から断裁ずらし量ずらした位置において断裁を実行する。断裁された冊子は、下段排紙トレイ６４上に排出される。
【００８９】
そして、これらの一連の行程を通じて、挿入紙Ｉが挿入された状態の冊子が作成される。図１５（ａ）に示すように、中折り処理により冊子を作成する場合であって、例えば、印刷紙Ｐに対して半分の用紙サイズの挿入紙Ｉを挿入する場合には、中折り実行位置は、印刷紙Ｐを基準とした用紙束の中央位置Ｐｃ１よりも用紙先端側（図中左側）へと中折りずらし量ΔＰ１だけずらした位置に設定される。この場合、印刷紙Ｐに対する画像形成位置も、画像ずらし量（ΔＰ１）だけずらされ、さらに、断裁実行位置も、冊子の前小口側の最端縁から断裁ずらし量（ΔＰ１×２）だけずらされた位置Ｐｃ２に設定される。
【００９０】
また、図１５（ｂ）に示すように、中綴じ処理により冊子を作成し、かつ、挿入紙Ｉを併せて中綴じしない場合であって、例えば、印刷紙Ｐに対して半分の用紙サイズの挿入紙Ｉを挿入する場合には、中綴じ実行位置は、印刷紙Ｐを基準とした用紙束の中央位置Ｐｃ１よりも用紙先端側（図中左側）へと中綴じずらし量ΔＰ２だけずらした位置に設定される。この場合、中綴じ実行位置は、印刷紙Ｐを基準とした用紙束の中央位置Ｐｃ１よりも用紙先端側（図中左側）へと中折りずらし量（ΔＰ２）だけずらした位置に設定される。また、印刷紙Ｐに対する画像形成位置も、画像ずらし量（ΔＰ２）だけずらされ、さらに、断裁実行位置も、冊子の前小口側の最端縁から断裁ずらし量（ΔＰ２×２）だけずらされた位置Ｐｃ２に設定される。
【００９１】
さらに、図１５（ｃ）に示すように、中綴じ処理により冊子を作成し、かつ、挿入紙Ｉを併せて中綴じする場合であって、例えば、印刷紙Ｐに対して半分の用紙サイズの挿入紙Ｉを挿入する場合には、中綴じ実行位置は、印刷紙Ｐを基準とした用紙束の中央位置Ｐｃ１よりも用紙後端側（図中右側）へと中綴じずらし量ΔＰ２だけずらした位置に設定される。この場合、中綴じ実行位置は、印刷紙Ｐを基準とした用紙束の中央位置Ｐｃ１よりも用紙後端側（図中右側）へと中折りずらし量（ΔＰ２）だけずらした位置に設定される。また、印刷紙Ｐに対する画像形成位置も、画像ずらし量（ΔＰ２）だけずらされ、さらに、断裁実行位置も、冊子の前小口側の端縁から断裁ずらし量（ΔＰ２×２）だけずらされた位置Ｐｃ２に設定される。
【００９２】
このように本実施形態によれば、第２の搬送路Ｒ２を経て挿入紙Ｉを用紙トレイ４２に供給することにより、冊子作成の一連の工程として、挿入紙Ｉを挿入した状態で冊子を仕上げることができる。また、挿入紙Ｉを挿入した状態で冊子を作成する場合、挿入紙Ｉを含む冊子の仕上がり形態に応じて、用紙束に対する中折りまたは中綴じ実行位置のずらし量が演算される。これにより、用紙束に対する中折り実行位置または中綴じ実行位置を、必要に応じてずらすことができるので、挿入紙を含む冊子の仕上がり形態に種々のバリエーションを持たせることが可能となる。これにより、ユーザに様々なニーズに応じた状態で挿入紙Ｉを挿入した状態で冊子を作成することが可能となる。
【００９３】
また、本実施形態において、制御部８１ｂは、取得部８１ａの取得結果（冊子作成を中折り処理により行うこと、印刷紙Ｐの用紙サイズおよび挿入紙Ｉの用紙サイズの情報）に基づいて、印刷紙Ｐを基準とする用紙束の中央位置を中折り実行位置とするのか、もくしは、用紙束の中央位置からずらした位置を中折り実行位置とするのかを判断する。中折り処理により冊子を作成する場合には、挿入紙Ｉを併せて中折りしたくないという要望がある。この場合、挿入紙Ｉが中折りされるか否かは、印刷紙Ｐの用紙サイズおよび挿入紙Ｉの用紙サイズに起因する。そこで、これらの情報から、中折り実行位置をずらすか否かを判断することにより、中折り実行位置をずらす必要があるシーンを自動的に判断することができる。
【００９４】
ここで、中折り実行位置をずらすことを判断した場合、制御部８１ｂは、印刷紙Ｐの用紙サイズ、挿入紙Ｉの用紙サイズ、作成する冊子の総頁数、挿入紙を挿入する頁および挿入紙の種別に基づいて、用紙束の中央位置からの中折り実行位置のずらし量を演算する。かかる構成によれば、印刷紙Ｐの用紙サイズ、挿入紙Ｉの用紙サイズ、作成する冊子の総頁数、挿入紙を挿入する頁および挿入紙の種別を考慮することにより、中折り実行位置を適切に演算することができる。すなわち、挿入紙Ｉが中折りされることなく、かつ、過度に位置をずらし過ぎることなく、挿入紙Ｉを挿入した状態で冊子を作成することができる。また、この中折り実行位置のずらし量は、画像形成位置および断裁実行位置のずらし量にも関わるパラメータであるため、中折り実行位置のずらし量を適切に演算することで、これらのずらし量も最適に演算することができる。
【００９５】
また、本実施形態において、制御部８１ｂは、取得部８１ａの取得結果（冊子作成を中綴じ処理で行うこと、印刷紙Ｐの用紙サイズ、挿入紙Ｉの用紙サイズおよび挿入紙Ｉを併せて中綴じするか否かの情報）に基づいて、印刷紙Ｉを基準とする用紙束の中央位置を中綴じおよび中折り実行位置とするのか、もしくは用紙束の中央位置からずらした位置を中綴じおよび中折り実行位置とするのかを判断する。中綴じ処理により冊子を作成する場合、挿入紙Ｉを併せて中綴じしたいという要望と、挿入紙Ｉを併せて中綴じしたくないという要望がある。この場合、挿入紙Ｉが中綴じされるか否かは、印刷紙Ｐの用紙サイズおよび挿入紙Ｉの用紙サイズに起因する。そこで、これらの情報から、中綴じおよび中折り実行位置をずらす必要があるシーンを自動的に判断することができる。
【００９６】
ここで、制御部８１ｂは、挿入紙Ｉを併せて中綴じしない場合において、中綴じおよび中折り実行位置をずらすことを判断した場合には、印刷紙Ｐの用紙サイズ、挿入紙Ｉの用紙サイズおよび挿入紙Ｉの種別に基づいて、用紙束の中央位置からの中綴じおよび中折り実行位置のずらし量を演算する。かかる構成によれば、印刷紙Ｐの用紙サイズ、挿入紙Ｉの用紙サイズおよび挿入紙Ｉの種別を考慮することにより、中綴じおよび中折り実行位置のずらし量を適切に演算することができる。すなわち、挿入紙Ｉが中綴じおよび中折りされることなく、かつ、過度に位置をずらし過ぎることなく、挿入紙Ｉを挿入した状態で冊子を作成することができる。また、この中綴じおよび中折り実行位置のずらし量は、画像形成位置および断裁実行位置のずらし量にも関わるパラメータであるため、中綴じおよび中折り実行位置のずらし量を適切に演算することで、これらのずらし量も最適に演算することができる。
【００９７】
一方、制御部８１ｂは、挿入紙Ｉを併せて中綴じする場合において、中綴じおよび中折り実行位置をずらすことを判断した場合には、印刷紙Ｐの用紙サイズ、挿入紙Ｉの用紙サイズ、挿入紙Ｉの種別およびオーバーラップ量に基づいて、用紙束の中央位置からの中綴じおよび中折り実行位置のずらし量を演算する。かかる構成によれば、印刷紙Ｐの用紙サイズ、挿入紙Ｉの用紙サイズ、挿入紙Ｉの種別およびオーバーラップ量を考慮することにより、中綴じおよび中折り実行位置のずらし量を適切に演算することができる。すなわち、挿入紙Ｉが中綴じおよび中折りされ、かつ、過度に位置をずらし過ぎることなく、挿入紙Ｉを挿入した状態で冊子を作成することができる。
【００９８】
また、本実施形態において、制御部８１ｂは、演算されたずらし量に基づいて、画像形成装置２００による印刷紙Ｐに対する画像形成位置のずらし量を演算する。画像形成装置２００は、通常、印刷紙Ｐの中央位置を基準として各頁に画像を形成する関係上、上述の如く、中折り実行位置または中綴じ実行位置がずらされた場合には、冊子の各頁における画像の形成位置が頁中心からずれた状態となる。しかしながら、画像形成位置のずらし量を演算することで、これを画像形成装置２００の処理に反映させることができるので、頁中心からの画像のずれを抑制することができる。
【００９９】
また、本実施形態において、後処理装置３００は、作成された冊子の前小口側端縁を断裁する断裁ユニット７０を更に有する。この場合、制御部８１ｂは、演算されたずらし量に基づいて、冊子に対する断裁実行位置のずらし量を設定する。上述の如く、中折り実行位置または中綴じ実行位置がずらされた場合には、冊子の前小口側端縁は、冊子の左右頁において各々の長さがずれた状態となる。しかしながら、断裁ユニット７０による断裁実行位置のずらし量を設定することで、冊子の前小口側端縁の整合性を確保することができる。
【０１００】
また、本実施形態において、後端規制部４３は、用紙トレイ４２に用紙を積載する際に、排紙ローラ１２から用紙トレイ４２に排出される用紙の後端位置が、用紙トレイ４２に載置される挿入紙Ｉの先端位置と後端規制部４３との間に位置するような関係に配置されている。
【０１０１】
例えば、印刷紙Ｐと用紙サイズ違いの挿入紙Ｉとを用紙トレイ４２に積載する場合、用紙積載時の後端規制部４３と排紙ローラ１２との位置関係によっては以下に示すような不都合が生じる可能性がある。具体的には、排紙ローラ１２から用紙トレイ４２に排出される用紙の後端位置が、用紙トレイ４２に載置される挿入紙Ｉの先端位置よりもトレイ先端側となるケースである。このケースでは、挿入紙Ｉの次に印刷紙Ｐが排出された場合、当該印刷紙Ｐの後端が、挿入紙Ｉの先端よりも前方に位置し、この印刷紙Ｐを後端規制部４３へと整合する際に、印刷紙Ｐの後端と挿入紙Ｉの先端とが干渉し、紙詰まりや、用紙間の整合不良を起こす可能性がある。
【０１０２】
しかしながら、本実施形態によれば、排紙ローラ１２から用紙トレイ４２に排出される用紙の後端位置は、用紙トレイ４２に載置される挿入紙Ｉの先端位置と後端規制部４３との間、すなわち、挿入紙Ｉの紙面上となる。そのため、挿入紙Ｉの先端と印刷紙Ｐの後端との干渉が抑制されることとなり、紙詰まりや整合不良を抑制しつつ用紙サイズが異なる印刷紙Ｐと挿入紙Ｉとを用紙トレイ４２に積載収容することができる。その結果、用紙トレイ４２に積載された用紙束（印刷紙Ｐおよび挿入紙Ｉ）に処理を施すことが可能となり、挿入紙Ｉが冊子内のページに挿入された状態で冊子を仕上げることが可能となる。
【０１０３】
なお、上述した実施形態では、中綴じ処理により冊子作成を行う場合、中折りよりも中綴じを先行して行う関係上、中綴じ実行位置のずらし量を演算し、これをベースに、各パラメータ（中折り実行位置、画像形成位置および断裁実行位置のずらし量）を決定している。しかしながら、中折りの後に中綴じを実行してもよく、この場合には、中綴じ実行位置のずらし量と同一の要件で、中折り実行位置のずらし量を決定し、これをベースに各パラメータ（中綴じ実行位置、画像形成位置および断裁実行位置のずらし量）を決定してもよい。もっとも、中綴じ処理では、中綴じ実行位置と中折り実行位置とは対応する関係となるため、双方のずらし量を同時に決定してもよいし、中折りおよび中綴じの実行順序に関わらず、いずれか一方のずらし量を決定した後で、これに応じて残りのずらし量を決定してもよい。
【０１０４】
また、画像形成装置２００から挿入紙Ｉを供給し、かつ、挿入紙Ｉに画像形成装置２００により画像形成を行う場合には、挿入紙Ｉの挿入頁に応じて、挿入紙Ｉの印刷位置をずらしてもよい。すなわち、冊子の総頁数が多い場合には、複数の印刷紙Ｐの積層分の厚さに起因して、冊子の最終頁側または最初頁側よりも、冊子の中央頁側に挿入される場合の方が、断裁ユニット７０による断裁量が少なくなる。そのため、挿入紙Ｉの挿入頁によっては、挿入紙Ｉに形成された画像が断裁されてしまう可能性がある。そこで、挿入紙Ｉの挿入頁に応じて、挿入紙Ｉの印刷位置をずらすことにより、このような不都合を抑制することができる。
【０１０５】
また、上述した実施形態では、画像形成システムは、後処理装置３００の一機能として断裁ユニット７０を備える構成であったが、この断裁ユニット７０が後処理装置３００から独立した装置（断裁装置）として、画像形成システムを構成してもよい。
【０１０６】
また、上述した実施形態では、後処理装置３００の制御部８１ｂが、中折り実行位置または中綴じ実行位置のずらし量に応じて画像形成位置のずらし量を演算し、これを画像形成装置２００に指示する構成である。しかしながら、本実施形態はこれに限定されず、例えば、後処理装置３００の制御部８１ｂが画像形成装置２００に中折り実行位置または中綴じ実行位置のずらし量のみを指示してもよい。この場合、画像形成装置２００が、後処理装置３００からのずらし量に基づいて、印刷紙Ｐに対する画像形成位置のずらし量を演算し、この画像形成位置のずらし量に応じて、印刷紙Ｐに形成される画像位置をずらしてもよい。
【０１０７】
また、中折り実行位置のずらし量または中綴じ実行位置のずらし量を演算する場合には、印刷紙Ｉに形成される画像の範囲を上限としてもよい。これにより、各頁に割り当てられる画像に、中折りまたは中綴じが干渉するという事態を抑制することができる。
【０１０８】
以上、本発明の実施形態にかかる後処理装置およびその制御方法並びに画像形成システムについて説明したが、本発明は上述した実施形態に限定されることなく、その発明の範囲内において種々の変形が可能であることはいうまでもない。
【符号の説明】
【０１０９】
１００    画像読取装置
２００    画像形成装置
３００    後処理装置
１０    導入部
１２    排紙ローラ
２０    挿入紙供給ユニット
２１    挿入紙載置部
２２    用紙送り部
３１    第１の中間スタッカ
４１    第２の中間スタッカ
４２    用紙トレイ
４３    後端規制部
４４    巻き戻し部
５０    中綴じステープラ
５５    中折り部
５６    折りローラ
５７    折り板
６０    上段排紙トレイ
６２    中段排紙トレイ
６４    下段排紙トレイ
７０    断裁ユニット
８１    コントローラ
８１ａ  取得部
８１ｂ  制御部
８３    後端駆動部
８４    折り板駆動部
８５    折りローラ駆動部
８６    アーム駆動部
【図１】
0005434543.tif 000002
【図２】
0005434543.tif 000003
【図３】
0005434543.tif 000004
【図４】
0005434543.tif 000005
【図５】
0005434543.tif 000006
【図６】
0005434543.tif 000007
【図７】
0005434543.tif 000008
【図８】
0005434543.tif 000009
【図９】
0005434543.tif 000010
【図１０】
0005434543.tif 000011
【図１１】
0005434543.tif 000012
【図１２】
0005434543.tif 000013
【図１３】
0005434543.tif 000014
【図１４】
0005434543.tif 000015
【図１５】
0005434543.tif 000016